(57)【要約】【課題】視認性が良く、的確な情報を伝達できる情報表示装置を提供すること。【解決手段】赤色ＬＥＤ、緑色ＬＥＤ、および青色ＬＥＤとで画素としての１ドットを構成し、該１ドットを基板上にマトリクス状に配置したＬＥＤユニットを備える表示部と、前記ＬＥＤの発光状態を制御する制御部とを備え、前記１ドットに配置された赤色、緑色および青色の各ＬＥＤは、いずれも縦横には直線上に並ばないように配置され、かつ、ＬＥＤユニットにおいては、同色のＬＥＤは縦横に直線上に並ぶように配置した。【選択図】  図４
2010060882.tif 000002
【特許請求の範囲】
【請求項１】
赤色ＬＥＤ、緑色ＬＥＤ、および青色ＬＥＤとで画素としての１ドットを構成し、該１ドットを基板上にマトリクス状に配置したＬＥＤユニットを備える表示部と、前記ＬＥＤの発光状態を制御する制御部とを備え、前記１ドットに配置された赤色、緑色および青色の各ＬＥＤは、いずれも縦横には直線上に並ばないように配置され、かつ、ＬＥＤユニットにおいては、同色のＬＥＤは縦横に直線上に並ぶように配置されていることを特徴とする情報表示装置。
【請求項２】
１ドットにおける赤色ＬＥＤ、緑色ＬＥＤ、および青色ＬＥＤが、正三角形の頂点の位置に配置されていることを特徴とする請求項１記載の情報表示装置。
【請求項３】
基板の外表面が黒色であることを特徴とする請求項１又は２記載の情報表示装置。
【発明の詳細な説明】
【技術分野】
【０００１】
本発明は、道路情報などを表示する情報表示装置に関するものである。
【背景技術】
【０００２】
高速道路や一般道路の道路近傍において注意喚起情報や各種の道路情報等を表示する情報表示装置が知られている。このような情報表示装置の表示部には、複数色のＬＥＤ（発光ダイオード）で１ドット（画素）を構成するとともに、これをマトリクス状に多数配置し、各ＬＥＤを発光させて文字や数字、図柄、およびそれらの組み合わせにより、道路情報等を表示するものが従来からある。
【０００３】
通常、この種の情報表示装置においては、赤色ＬＥＤ（Ｒ）、緑色ＬＥＤ（Ｇ）、および青色ＬＥＤ（Ｂ）と１ドットを構成し、この赤色ＬＥＤ（Ｒ）、緑色ＬＥＤ（Ｇ）、および青色ＬＥＤ（Ｂ）の点灯状態を制御して、フルカラー表示を可能としている（赤と緑を同時点灯して橙色を発光、３色を同時に点灯して白色を発光、など）。
【０００４】
また、この１ドットをマトリクス状に配置し、各ＬＥＤの点灯を制御することによって、様々な文字や数字、図柄、およびそれらの組み合わせ（文字等）をマルチカラー表示するようにしている。
【発明の開示】
【発明が解決しようとする課題】
【０００５】
この従来の情報表示装置においては、１ドットにおける各ＬＥＤは、通常Ｌ字型に配置されている（図５参照）。
【０００６】
しかしながら、上記のような配置だと、例えば、前述のように赤色ＬＥＤ（Ｒ）と緑色ＬＥＤ（Ｇ）とを同時に点灯させて橙色を発光させる場合、表示される文字等の線幅は、横線と縦線とで大きく異なってしまう。それゆえ、道路の通行者からすれば、非常に見えづらい（読みづらい）という欠点がある。
【０００７】
図５を参照すれば、この場合、横線は、Ｘの線幅、すなわち赤色ＬＥＤ（Ｒ）の上端と緑色ＬＥＤ（Ｇ）の下端との両端間の線幅に見えるのに対し、縦線は、Ｙの線幅、すなわち赤色ＬＥＤ（Ｒ）および緑色ＬＥＤ（Ｇ）の横幅寸法の線幅に見える。したがって、この場合、横線に比して縦線が見えにくく、また文字等の表示としてもバランスが悪くなるので、非常に視認性が悪い。
【０００８】
特に道路近傍の情報表示装置においては、高速で通過する車両の運転者等に天候・災害情報や、事故情報、渋滞情報、その他様々な交通情報を的確に伝えられるよう、明確な表示が求められる。そのため、文字や数字等を表示する際に、はっきりとした横線、縦線を使った視認性の高い文字、数字等表示が採用されることが多い。それにもかかわらず、上記従来のＬＥＤの配置を利用したのでは、横線と縦線との線幅が違いすぎるので、車両の運転者等に見えづらく、正しい情報を伝達できない可能性がある。
【０００９】
本発明は、上記の問題点を克服するためになされたものであり、情報表示装置における表示文字等の横線と縦線との線幅の差を小さくすることによって視認性を高め、車両の運転者等、道路の通行者に対して的確に情報を伝達しうる情報表示装置を提供することを目的とする。
【課題を解決するための手段】
【００１０】
上記の目的を達成するため、本発明の情報表示装置は、赤色ＬＥＤ、緑色ＬＥＤ、および青色ＬＥＤとで画素としての１ドットを構成し、該１ドットを基板上にマトリクス状に配置したＬＥＤユニットを備える表示部と、前記ＬＥＤの発光状態を制御する制御部とを備え、前記１ドットの赤色、緑色および青色の各ＬＥＤは、いずれも縦横には直線上に並ばないように配置され、かつ、ＬＥＤユニットにおいては、同色のＬＥＤは縦横に直線上に並ぶように配置されていることを特徴とする。
【００１１】
この情報表示装置によれば、１ドットの赤色、緑色および青色の各ＬＥＤは、いずれも縦横に直線上には並ばないように配置されており、文字等を表示する際に、横線と縦線との線幅の差が小さくなるので、視認性が向上する。したがって、車両の運転者等、道路の通行者に正確な情報を伝達することが可能となる。
【００１２】
また、本発明の情報表示装置においては、１ドットにおける赤色ＬＥＤ、緑色ＬＥＤ、および青色ＬＥＤが、正三角形の頂点の位置に配置されるよう構成するのが好ましい。
【００１３】
このようにすれば、各ＬＥＤ間の間隔が等距離となるので、各１ドットの発光色の制御が容易となる。
【００１４】
さらに、基板の外表面を黒色とするのが好ましく、つや消しの黒色とするのがより好ましい。
【００１５】
このようにすれば、ＬＥＤの発光色とのコントラストが向上し、また太陽光など外部から入射する光の反射を抑制できるので、視認性がより良くなる。尚、上記黒色とするのは、成形材料によるものでもよいし、塗装などにより基板の表面に加工する方法によるものでもよい。
【発明の効果】
【００１６】
本発明によれば、１ドットの赤色、緑色および青色の各ＬＥＤは、いずれも縦横に直線上には並ばないように配置されており、表示部で表示される文字等の横線と縦線との線幅の差が小さくなるので、視認性が向上する。それゆえ、車両の運転者等、道路の通行者に対して、非常に見やすい情報表示装置を提供することができる。
【発明を実施するための最良の形態】
【００１７】
以下、本発明に係る情報表示装置の最良の実施形態について、図面を参照しながら詳細に説明する。
【００１８】
図１は、本発明に係る情報表示装置の実施形態を示す正面図であり、図２は、その側面図である。図３は、ＬＥＤユニットの正面図であり、図４は、図３におけるＡの部分を拡大して、ＬＥＤの配置を示した図である。また、図５は、従来のＬＥＤの配置を示した図である。
【００１９】
図１および図２に示すとおり、この実施形態における道路表示装置１は、道路近傍に立設された支柱Ｐに取り付けられている。この道路標示装置１は、表示部３を備えた表示体本体２と、表示部３に備えたＬＥＤ（７１Ｒ、７１Ｇ、７１Ｂ）の点灯を制御する制御部４と、各ＬＥＤに電力を供給する太陽電池５とにより構成されている。
【００２０】
表示体本体２は、前面が開口し背面が閉塞した本体部２１と、本体部２１の前面開口部を覆う蓋体２２とからなり、その内部に表示部３が収容されている。本体部２１および蓋体２２は、例えばアルミニウム合金により構成されている。
【００２１】
本体部２１の背面は、支柱Ｐに取り付け可能に構成されている。蓋体２２は本体部２１にヒンジを介して回動可能に取り付けられており、該ヒンジを中心に回動することによって本体部２１の前面開口部を開閉することが可能となっている。
【００２２】
また、蓋体２２の正面には、表示部３が外部から視認可能なように開口した窓部２２１が形成され、この窓部２２１には、透光性を有する合成樹脂により形成された窓板がはめ込まれている。
【００２３】
この実施形態において、表示部３は、ＬＥＤユニット３１を縦に４枚連設して構成されている。各ＬＥＤユニット３１は、基板６上に多数のＬＥＤを縦横にマトリクス状に配置したものである。より具体的には、図３に示すとおり、赤色ＬＥＤ７１Ｒ、緑色ＬＥＤ７１Ｇ、および青色ＬＥＤ７１Ｂを各１つずつ備えて１ドット７１を構成し、これを基板６上にマトリクス状に配置してＬＥＤユニット３１を構成している。また、この実施形態においては、各ＬＥＤユニット３１は、縦横共２４×２４ドットの構成を採用している。
【００２４】
制御部４は、各ＬＥＤの点灯を制御するものであり、点灯を制御するためのプログラムの設定や選択等を行うコントローラ４１と、太陽電池５で生起された電力を蓄えるための蓄電池４２とを備えている。この制御部４は、本体部２１の背面側に対向するようにして支柱Ｐに取り付けられており、表示部３に電気通信的に接続されている。より具体的には、制御部４は、基板６の背面側に実装されている電子部品に電気通信的に接続されており、これによって、各ＬＥＤに電力や信号などを供給できるようにしている。
【００２５】
太陽電池５は、太陽光を利用して電力を生起するものであり、生起された電力は、制御部４の蓄電池４２に蓄えられ、各ＬＥＤに供給される。
【００２６】
以上のような構成により、表示部３の各ＬＥＤの点灯が制御され、様々な文字、数字等を表示部３においてカラー表示することができる。
【００２７】
次に、図４は、図３のＡの部分を拡大した図であり、ＬＥＤユニット３１の各ドット内における赤色ＬＥＤ７１Ｒ、緑色ＬＥＤ７１Ｇ、および青色ＬＥＤ７１Ｂの配置を示している。
【００２８】
この実施形態においては、赤色ＬＥＤ７１Ｒ、緑色ＬＥＤ７１Ｇ、および青色ＬＥＤ７１Ｂは、それぞれ正三角形の頂点の位置にその中心が位置するように配置され、これにより１ドットを構成している。また、各ドットにおいて、緑色ＬＥＤ７１Ｇの中心と青色ＬＥＤ７１Ｂとを結ぶ直線が、水平線Ｌと角度θ＝約１５度の角度をなすような配置としている。
【００２９】
このように各ＬＥＤを配置することにより、例えば赤色ＬＥＤ７１Ｒと緑色ＬＥＤ７１Ｇとを同時に点灯して橙色の発光をさせ、文字等を表示する場合、横線は図４におけるＭの線幅、すなわち赤色ＬＥＤ７１Ｒの上端と緑色ＬＥＤ７１Ｇの下端との間の線幅で発光しているように見え、縦線は、Ｎの線幅、すなわち緑色ＬＥＤ７１Ｇの左端と赤色ＬＥＤ７１Ｒの右端との間の線幅で発光しているように見える。
【００３０】
したがって、既述の従来のＬＥＤ配置（図５）の場合にくらべ、横線と縦線との線幅の差が小さくなり、視認性の良い文字、数字等の表示が可能となっている。
【００３１】
このことは、赤色ＬＥＤ７１Ｒと緑色ＬＥＤ７１Ｇとを同時に点灯する場合のみならず、赤色ＬＥＤ７１Ｒと青色ＬＥＤ７１Ｂとを同時に点灯する場合や、緑色ＬＥＤ７１Ｇと青色ＬＥＤ７１Ｂとを同時に点灯する場合などにおいても同様であり、同じく従来のＬＥＤ配置に比して表示部３において表示される文字等の視認性が向上する。
【００３２】
尚、この実施形態においては、基板６につや消し黒色の基板を使用している。これにより、表示部３に入射する太陽光などの光が基板６表面で反射するのを抑制することができる。
【００３３】
また、この実施形態においては、基板６上に配置されたＬＥＤには全てチップＬＥＤを用いている。チップＬＥＤは縦横、および縦寸法が砲弾型のＬＥＤに比べて小さいので、表示部を前面から見た場合、基板６の見える面積が大きくなる。しかも、砲弾型ＬＥＤを使用する場合のようにＬＥＤのレンズに太陽光等が反射するようなこともない。それゆえ、つや消し黒色の基板６を使用したことと相俟って、背景（基板６）とＬＥＤの発光とのコントラストが際立ち、非常に視認性の良い表示が可能となっている。
【図面の簡単な説明】
【００３４】
【図１】本発明に係る情報表示装置の１実施形態を示す正面図である。
【図２】本発明に係る情報表示装置の１実施形態を示す側面図である。
【図３】本発明に係る情報表示装置におけるＬＥＤユニットの１実施形態を示す正面図である。
【図４】図３におけるＡの部分を拡大した図である。
【図５】従来のＬＥＤの配置を示す図である。
【符号の説明】
【００３５】
１    情報表示装置
２    表示体本体
２１  本体部
２２  蓋体
３    表示部
４    制御部
６    基板
７１  １ドット
７１Ｒ  赤色ＬＥＤ
７１Ｇ  緑色ＬＥＤ
７１Ｂ  青色ＬＥＤ
【図１】
2010060882.tif 000003
【図２】
2010060882.tif 000004
【図３】
2010060882.tif 000005
【図４】
2010060882.tif 000006
【図５】
2010060882.tif 000007